(57)【要約】【目的】顔画像を似顔絵に変換し地域別、グループ別等に容易に整理管理し容易に該当地域により似顔絵が閲覧可能なシステムを供給することであり、似顔絵は音声等に同期して動かすことも可能とする。あるいは、この似顔絵画像を容易に印刷したり、メール送信できるシステムを供給する。【構成】カメラ付き無線携帯ブラウザ端末により位置情報付き顔写真画像を位置画像管理サイトに送信、位置画像管理サイトでは該当顔画像を似顔絵に変換し、この似顔絵画像を登録する。この似顔絵を端末位置等により似顔絵画像検索手段を有する。印刷する場合は、顔画像を似顔絵化編集印刷手段から構成される印刷編集管理サイトに送信し編集印刷を行う。【選択図】　図１
2004005391.tif 000002
【特許請求の範囲】
【請求項１】
無線通信回線を通じて人の顔の写真画像を自動変換し似顔絵化し前記似顔絵化した画像データを配信管理するシステムにおいて
無線携帯端末から接続可能なサイトに地理的位置により管理された画像データベースを有し、
画像撮像手段を有する無線携帯端末により取得した顔画像を前記顔画像に関連する位置情報と共に前記サイトに送信する位置顔画像情報送信手段、
前記送信された位置顔画像情報を登録する位置顔画像情報登録手段、
前記顔画像を似顔絵画像に変換する似顔絵変換手段、
前記変換された似顔絵画像を前記位置情報と共に登録する位置似顔絵画像登録手段、前記登録された似顔絵画像を地理的位置により検索する検索手段
を有していることを特徴とする似顔絵情報配信管理システム。
【請求項２】
前記位置情報は前記無線携帯端末に具備された位置取得手段により画像撮像時に取得されたことを特徴とする請求項１項記載の似顔絵情報配信管理システム。
【請求項３】
前記人の顔画像撮像手段は前記無線携帯端末がカメラ内蔵あるいはカメラアダプター接続可能であることを特徴とする請求項１項記載の似顔絵情報配信管理システム。
【請求項４】
前記位置顔画像情報送信手段は、前記サイトにアクセスするアクセス手段、前記サイトにおいてサイトアクセスユーザが顔画像登録可能かどうかを判断する登録可不可判断手段、ユーザ顔画像入力手段から構成されていることを特徴とする請求項１項記載の似顔絵情報配信管理システム。
【請求項５】
前記位置顔画像情報送信手段は、顔画像付きメールであることを特徴とする請求項１項記載の似顔絵情報配信管理システム。
【請求項６】
前記サイトにはユーザに対する質問内容表示手段、質問回答取得手段から構成されるアンケート手段を備えた属性取得手段を有し、前顔記画像は該当ユーザの属性情報と共に登録され、さらに前記似顔絵画像に付加され登録されることを特徴とする請求項１項記載の似顔絵情報配信管理システム。
【請求項７】
前記顔画像に関連する位置情報により背景画像、オブジェクト画像から選ばれた少なくとも１つの画像が前記似顔絵画像に付加されることを特徴とする請求項１項記載の似顔絵情報配信管理システム。
【請求項８】
前記オブジェクト画像は服飾品、装飾品であることことを特徴とする特許請求範囲第７項記載の似顔絵情報配信管理システム。
【請求項９】
前記似顔絵画像に付加された背景画像あるいはオブジェクト画像に関連付けられた商品あるいはサービスの広告情報が付加されていることを特徴とする特許請求範囲第８項記載の似顔絵情報配信管理システム。
【請求項１０】
前記広告情報には該広告に関連するＥＣサイトの所定部分へのリンクが添付されることを特徴とする特許請求範囲第９項記載の似顔絵情報配信管理システム。
【請求項１１】
前記サイトにおける閲覧は閲覧するユーザの端末位置により許可されることを特徴とする請求項１項記載の似顔絵情報配信管理システム。
【請求項１２】
前記サイトにおいては投票集計管理手段、前記登録された似顔絵画像を閲覧するユーザが投票可能な投票手段を有していることを特徴とする請求項１項記載の似顔絵情報配信管理システム。
【請求項１３】
前記サイトにおいてはポイント管理手段を有し、ユーザが画像を登録した際に該ポイント管理手段はポイントを加算することを特徴とする請求項１項記載の似顔絵情報配信管理システム。
【請求項１４】
前記変換手段は、前記写真画像が人の顔であるがどうかを判定する判定手段を有し、人の顔でないと判定された場合、予め用意したメッセージ画像に変換することを特徴とする請求項１項記載の似顔絵情報配信管理システム。
【請求項１５】
前記メッセージ画像は、植物、動物、無機物、人工物から選ばれる少なくとも１つの人とは関係ない物を表す画像であることを特徴とする請求項１４項記載の似顔絵情報配信管理システム。
【請求項１６】
前記似顔絵画像は形状データ及び動作データから構成され、該似顔絵画像を閲覧するユーザに対して動く似顔絵を表示することを特徴とした請求項１項記載の似顔絵情報配信管理システム。
【請求項１７】
音楽データもしくは音声データにしたがって、前記似顔絵の動作を同期化させることを特徴とする請求項１６項記載の似顔絵情報配信管理システム。
【請求項１８】
無線通信回線を通じて人の顔の写真画像を自動変換し似顔絵化し前記似顔絵化した画像データを管理するシステムにおいて無線携帯端末から接続可能なサイトに地理的位置により管理された画像データベースを有し、画像撮像手段を有する無線携帯端末により取得した顔画像をサイトに送信する送信手段、前記送信された顔画像を似顔絵に変換する変換手段、前記変換された似顔絵画像を印刷媒体に編集印刷する編集印刷手段を有することを特徴とする似顔絵情報配信管理システム。
【請求項１９】
前記印刷媒体は、はがきあるいは手紙であることを特徴とする請求項１８項記載の似顔絵情報配信管理システム。
【請求項２０】
前記サイトにおいてはユーザが入力可能な相手先住所入力手段あるいはユーザが予め登録されている住所録から相手先住所を選択することが可能な相手先選択手段から構成される相手先住所取得手段、前記手紙あるいははがきに前記取得した相手先住所を編集印刷する編集印刷手段を有していることを特徴とする請求項１９項記載の似顔絵情報配信管理システム。
【請求項２１】
前記編集手段は広告情報を前記似顔絵画像と同時に編集することを特徴とする請求項１８または２０項記載の似顔絵情報配信管理システム。
【請求項２２】
前記サイトにおいてはユーザに対する質問内容表示手段、質問回答取得手段から構成されるアンケート手段から構成される相手先の属性を取得する相手先属性取得手段を有していることを特徴とする請求項２１項記載の似顔絵情報配信管理システム。
【請求項２３】
前記広告は前記相手先属性あるいは相手先住所あるいはその両者により最適広告が選択されることを特徴とする請求項２０乃至２２項記載の似顔絵情報配信管理システム。
【請求項２４】
前記送信手段は前記サイトにアクセスするアクセス手段、前記サイトにおいてサイトアクセスユーザが画像登録可能かどうかを判断する登録可不可判断手段、ユーザ画像入力手段から構成されていることを特徴とする請求項１８項記載の似顔絵情報配信管理システム。
【請求項２５】
前記送信手段は顔画像付きメールを送信することを特徴とする請求項１８項記載の似顔絵情報配信管理システム。
【請求項２６】
前記無線携帯端末は位置取得手段を有することを特徴とする請求項１８項記載の似顔絵情報配信管理システム。
【請求項２７】
前記顔写真画像の撮像位置により背景画像、オブジェクト画像から選ばれた少なくとも１つの画像が似顔絵画像に付加編集されることを特徴とする請求項２６項記載の似顔絵情報配信管理システム。
【請求項２８】
前記オブジェクト画像は服飾品、装飾品であることことを特徴とする特許請求範囲第２７項記載の似顔絵情報配信管理システム。
【請求項２９】
前記広告は前記付加された背景画像あるいはオブジェクト画像に関連付けられた商品あるいはサービスの広告情報であることを特徴とする特許請求範囲第２８項記載の似顔絵情報配信管理システム。
【請求項３０】
前記サイトにおいてはポイント管理手段を有し、ユーザが似顔絵画像を編集印刷した際に前記ポイント管理手段はポイントを加算することを特徴とする請求項１８項記載の似顔絵情報配信管理システム。
【請求項３１】
前記変換手段は、前記写真画像が人の顔であるがどうかを判定する判定手段を有し、人の顔でないと判定された場合、予め用意したメッセージ画像に変換することを特徴とする請求項１８項記載の画像情報配信管理システム。
【請求項３２】
前記メッセージ画像は、植物、動物、無機物、人工物から選ばれる少なくとも１つの人とは関係ない物を表す画像であることを特徴とする請求項１８項記載の画像情報配信管理システム。
【請求項３３】
無線通信回線を通じて人の顔の写真画像を自動変換により似顔絵化し、前記似顔絵化した似顔絵情報を配信管理するシステムにおいて、無線携帯端末から接続可能なサイトに画像データベースを有し、画像撮像手段を有する無線携帯端末により取得した顔画像を前記サイトに送信する顔画像情報送信手段、前記送信された顔画像情報を登録する顔画像情報登録手段、前記顔画像を似顔絵画像に変換する似顔絵変換手段、前記変換された似顔絵画像を登録する似顔絵画像登録手段、前記登録された似顔絵画像を閲覧するためにユーザがアクセスした際に前記無線携帯端末の端末ＩＤによりユーザ特定、認証を行い該似顔絵画像を閲覧許可する似顔絵画像認証閲覧手段を有していることを特徴とする似顔絵情報配信管理システム。
【請求項３４】
前記似顔絵画像の閲覧許可は２以上のユーザ端末から可能であり、前記閲覧許可は前記サイトに設けられた許可端末登録を行う許可端末登録管理手段を有し、前記許可端末管理手段に端末ＩＤを登録し、ユーザ端末のサイトアクセス時にユーザ端末の端末ＩＤにより前記許可端末登録管理手段を参照して判断することを特徴とする特許請求範囲第３３項記載の似顔絵情報配信管理システム。
【請求項３５】
前記閲覧許可は階層構造を有し、前記階層別に許可端末登録管理手段を有していることを特徴とする特許請求範囲第３３項記載の似顔絵情報配信管理システム。
【請求項３６】
前記許可端末登録管理手段はグループ別に構成されており、前記許可端末管理手段はユーザが新しいグループの構築を要望する際に新グループ要望手段を有し前記新グループ要望手段は新たなグループを生成することを特徴とする特許請求範囲第３４項記載の似顔絵情報配信管理システム。
【請求項３７】
前記似顔絵画像は、前記許可端末が管理されるグループにより背景画像、オブジェクト画像から選ばれた少なくとも１つの画像が前記似顔絵画像に付加されることを特徴とする請求項３６項記載の似顔絵情報配信管理システム。
【請求項３８】
前記オブジェクト画像は服飾品、装飾品であることことを特徴とする特許請求範囲第３７項記載の似顔絵情報配信管理システム。
【請求項３９】
前記似顔絵画像には前記付加された背景画像あるいはオブジェクト画像に関連付けられた商品あるいはサービスの広告情報が付加されていることを特徴とする特許請求範囲第３８項記載の似顔絵情報配信管理システム。
【請求項４０】
前記広告情報には該広告に関連するＥＣサイトの所定部分のリンクが添付されることを特徴とする特許請求範囲第３９項記載の似顔絵情報配信管理システム。
【請求項４１】
前記画像撮像手段は、前記無線携帯端末の内蔵カメラあるいはアダプター接続型カメラであることを特徴とする請求項３３項記載の似顔絵情報配信管理システム。
【請求項４２】
前記送信手段は、前記サイトにアクセスするアクセス手段、前記サイトにおいてサイトアクセスユーザが画像登録可能かどうかを判断する登録可不可判断手段、ユーザ画像入力手段から構成されていることを特徴とする請求項３３項記載の似顔絵情報配信管理システム。
【請求項４３】
前記送信手段は画像付きメールであることを特徴とする請求項３３項記載の似顔絵情報配信管理システム。
【請求項４４】
前記変換手段は、前記写真画像が人の顔であるがどうかを判定する判定手段を有し、人の顔でないと判定された場合、予め用意したメッセージ画像に変換することを特徴とする請求項３３項記載の画像情報配信管理システム。
【請求項４５】
前記メッセージ画像は、植物、動物、無機物、人工物から選ばれる少なくとも１つの人とは関係ない物を表す画像であることを特徴とする請求項４４項記載の画像情報配信管理システム。
【請求項４６】
前記似顔絵画像は形状データ及び動作データから構成され、該似顔絵画像を閲覧するユーザに対して動く似顔絵を表示することを特徴とした請求項３３項記載の似顔絵情報配信管理システム。
【請求項４７】
音楽データもしくは音声データにしたがって、前記似顔絵の動作を同期化させることを特徴とする請求項４６項記載の画像情報配信管理システム。
【請求項４８】
無線通信回線を通じて人の顔の写真画像を自動変換し似顔絵化し前記似顔絵化した画像を配信管理するシステムにおいて無線携帯端末から接続可能なサイトに画像データベースを有し、画像撮像手段を有する無線携帯端末により取得した顔画像を前記サイトに送信する顔画像情報送信手段、前記送信された顔画像情報を登録する顔画像情報登録手段、前記顔画像を似顔絵画像に変換する似顔絵変換手段、前記変換された似顔絵画像を登録する似顔絵画像登録手段、前記登録された似顔絵画像変換された似顔絵画像をユーザがメールに添付して送付する際に広告情報を付加する広告情報付加手段を有していることを特徴とする似顔絵情報配信管理システム。
【請求項４９】
前記人の顔画像撮像手段は前記無線携帯端末がカメラ内蔵あるいはカメラアダプター接続可能であることを特徴とする請求項４８項記載の似顔絵情報配信管理システム。
【請求項５０】
前記似顔絵は背景画像あるいはオブジェクト画像から選ばれた少なくとも１つの画像が前記似顔絵画像に付加されることを特徴とする特許請求範囲第４８項記載の似顔絵情報配信管理システム。
【請求項５１】
前記オブジェクト画像は服飾品、装飾品であることことを特徴とする特許請求範囲第５０項記載の画像情報配信管理システム。
【請求項５２】
前記広告は前記付加された背景画像あるいはオブジェクト画像に関連付けられた商品あるいはサービスの広告情報であることを特徴とする特許請求範囲第５０項記載の似顔絵情報配信管理システム。
【請求項５３】
前記メールには広告に関連するＥＣサイトの所定部分のリンクを添付されることを特徴とする特許請求範囲第５２項記載の似顔絵情報配信管理システム。
【請求項５４】
前記サイトにおいてはユーザが入力可能な相手先メールアドレス入力手段あるいはユーザが予め登録されているメールアドレスデータべースから相手先アドレスを選択することが可能な相手先選択手段から構成される相手先メールアドレス取得手段を有していることを特徴とする請求項４８項記載の似顔絵情報配信管理システム。
【請求項５５】
前記サイトにおいては送信先ユーザに対する質問内容表示手段、質問回答取得手段から構成されるアンケート手段から構成される相手先の属性を取得する相手先属性取得手段を有していることを特徴とする請求項５４項記載の似顔絵情報配信管理システム。
【請求項５６】
前記広告は前記相手先属性により最適広告が選択されることを特徴とする請求項５４または５５項記載の似顔絵情報配信管理システム。
【請求項５７】
前記送信手段は前記サイトにアクセスするアクセス手段、前記サイトにおいてサイトアクセスユーザが画像登録可能かどうかを判断する登録可不可判断手段、ユーザ画像入力手段から構成されていることを特徴とする請求項４８項記載の似顔絵情報配信管理システム。
【請求項５８】
前記送信手段は顔画像付きメールを送信することを特徴とする請求項４８項記載の似顔絵情報配信管理システム。
【請求項５９】
前記変換手段は、前記写真画像が人の顔であるがどうかを判定する判定手段を有し、人の顔でないと判定された場合、予め用意したメッセージ画像に変換することを特徴とする請求項４８項記載の似顔絵情報配信管理システム。
【請求項６０】
前記メッセージ画像は、植物、動物、無機物、人工物から選ばれる少なくとも１つの人とは関係ない物を表す画像であることを特徴とする請求項５９項記載の似顔絵情報配信管理システム。
【請求項６１】
前記似顔絵画像は形状データ及び動作データから構成され、該似顔絵画像を閲覧するユーザに対して動く似顔絵を表示することを特徴とした請求項４８項記載の似顔絵情報配信管理システム。
【請求項６２】
音楽データもしくは音声データにしたがって、前記似顔絵の動作を同期化させることを特徴とする請求項６１項記載の似顔絵情報配信管理システム。
【発明の詳細な説明】
【０００１】
【産業上の利用分野】
本発明は無線通信回線を利用したデジタル写真情報を似顔絵変換するシステムに関する、さらに詳しくはデジタルカメラ付き無線携帯ブラウザ端末により撮像した位置情報等を含むデジタル写真を変換した似顔絵画像の管理、さらには似顔絵の印刷出力に関する。
【０００２】
【従来の技術】
従来、人の顔写真から似顔絵を自動生成する技術はウエブにおいて実現されている。ウエブではマウスなどのポインティングデバイスなどがあるため取り扱いが容易である。しかしながら近年急速に増加してきたカメラ付き携帯電話などにおいては携帯端末自体の処理能力が劣るため、携帯電話のブラウザ機能でも容易に操作できる管理機能が求められている。顔写真を入力し変換した似顔絵画像を管理する機能、さらには携帯端末の特徴である「いつでもどこでも」使える携帯性を生かして、ユーザがいる位置が属する場所の特性に応じたサービスができれば非常に便利である。
【０００３】
【発明が解決しようとする課題】
最近では、カメラに加えてＧＰＳなどの測位装置が付加された携帯ブラウザ端末（携帯電話）の普及が進んでおり、そうした端末を駆使して容易に人の顔写真から似顔絵を変換管理でき、さらにその携帯ブラウザ端末を持ち歩くユーザの位置に応じたサービスを提供できるシステムを供給することが本発明の課題である。また、顔写真でない似顔絵変換の対象とならない画像が入力された場合に、ユーザフレンドリーな対応するシステム、さらには似顔絵が所定の音楽などに同期させて動作させてよりリアリティーのある似顔絵を作成するシステムを提供することも課題である。
【０００４】
【課題を解決するための手段】
前述の課題を解決するために本発明者らは鋭意研究の結果以下の手段をとった。すなわち請求項１は無線通信回線を通じて人の顔の写真画像を自動変換し似顔絵化し前述の似顔絵化した画像を配信管理するシステムにおいて無線携帯端末から接続可能なサイトに地理的位置により管理された画像データベースを設けておき、画像撮像手段を有する無線携帯端末により取得した顔画像を前述の顔画像に関連する位置情報と共に前述のサイトに送信する位置顔画像情報送信手段、前述の送信された位置顔画像情報を登録する位置画像情報登録手段、前述の顔画像を似顔絵画像に変換する似顔絵変換手段、前述の変換された似顔絵画像を前述の位置と共に登録する似顔絵画像位置登録手段、前述の登録された似顔絵画像を地理的位置により検索する検索手段を設けておけばよい。そしてここでの顔写真から似顔絵への変換は顔の輪郭、各部の特徴抽出を行い、予め用意しておいた顔の輪郭、顔の目・鼻・口・眉等の部品を組み合わせて似顔絵を合成することを特徴としている。
【０００５】
請求項２には請求項１の無線携帯端末の存在する場所の位置情報は前述の無線携帯端末に具備されたＧＰＳシステムあるいは１以上の無線基地局と無線携帯端末の通信状態を解析する方法あるいはその両者を組み合わせた方法などの位置取得手段により画像撮像時に取得されればよいことを特徴としている。また請求項３では前述の人の顔画像撮像手段はこの無線携帯端末がカメラ内蔵あるいはカメラアダプター接続可能であることを特徴としている。
【０００６】
請求項４は請求項１の前述の送信手段は前述のサイトにアクセスするアクセス手段、前述のサイトにおいてサイトアクセスユーザが顔画像登録可能かどうかを判断する登録可不可判断手段、ユーザ顔画像入力手段から構成されていることを特徴としている。
【０００７】
請求項５は請求項１の前述の顔写真情報サイトへの送信手段は顔画像付きメールであってもよい。請求項６では請求項１の前述のサイトにはユーザに対する質問内容表示手段、質問回答取得手段から構成されるアンケート手段から構成されているユーザの属性取得手段を有し、前述の画像は該当ユーザの属性情報と共に登録され、さらに前述の似顔絵画像に付加され登録されることを特徴としている。
【０００８】
請求項７は請求項１の顔画像に関連している位置情報（無線携帯端末の位置）のにより、背景画像、オブジェクト画像から選ばれた少なくとも１つの画像が前述の似顔絵画像に付加されることを特徴としている。この場合、位置によって前述の画像が異なってもよい。こういったオブジェクト画像は服飾品、装飾品であればよい。
【０００９】
請求項９では請求項８の前述の似顔絵画像に付加された背景画像あるいはオブジェクト画像に関連付けられたデータベースに格納された商品あるいはサービスの広告情報が付加されているようにすれば付加画像と関連した広告を行うことができユーザの嗜好と一致した広告が可能となることを特徴としている。請求項１０請求項９の広告情報には該広告に関連するＥＣサイトの所定部分のリンクが添付されことを特徴としている。
【００１０】
請求項１１では請求項１の前述のサイトにおける閲覧は閲覧するユーザの端末位置により許可されるようにしておけば位置によって該当地域の登録された似顔絵を見ることが可能となることを特徴としている。さらに請求項１２では請求項１の前述のサイトにおいては投票集計管理手段、前述の登録された似顔絵画像を閲覧するユーザが投票可能な投票手段を設けておけばよくこのポイントによって人気投票などが可能となることを特徴としている。
【００１１】
そして請求項１３では請求項１の前述のサイトにおいてはポイント管理手段を有し、ユーザが画像を登録した際にこのポイント管理手段はポイントを加算することを特徴としている。
【００１２】
請求項１４では請求項１の変換手段は、前述の写真画像が人の顔であるがどうかを判定する判定手段を有し、人の顔でないと判定された場合、予め用意したメッセージ画像に変換することを特徴としている。ここでメッセージ画像は、植物、動物、無機物、人工物から選ばれる少なくとも１つの人とは関係ない物を表す画像であるとユーザに似顔絵変換不能を視覚的に伝えられてよい。
【００１３】
請求項１６では請求項１の似顔絵画像は形状データ及び動作データから構成され、この似顔絵画像を閲覧するユーザに対して動く似顔絵を表示することを特徴としている。さらには、音楽データもしくは音声データにしたがって、前述の似顔絵の動作を同期化させるとより視覚的効果のある似顔絵となってよい。
【００１４】
次に携帯端末で顔写真を撮りこの顔写真を似顔絵画像に変換しこの似顔絵を印刷するシステムについて説明する。請求項１８は無線通信回線を通じて人の顔の写真画像を自動変換し似顔絵化し前述の似顔絵化した画像を管理するシステムにおいて無線携帯端末から接続可能なサイトに地理的位置により管理された画像データベースを有し、画像撮像手段を有する無線携帯端末により取得した顔画像をサイトに送信する送信手段、前述の送信された顔画像を似顔絵に変換する変換手段、前述の変換された似顔絵画像を印刷媒体に編集印刷する編集印刷手段を有することを特徴としている。そしてここでの顔写真から似顔絵への変換は顔の輪郭、各部の特徴抽出を行い、予め用意しておいた顔の輪郭、顔の目・鼻・口・眉等の部品を組み合わせて似顔絵を合成すればよい。
【００１５】
請求項１９は請求項１８の前述の印刷媒体は、はがきあるいは手紙であることを特徴としている。請求項２０は請求項１９の前述のサイトにおいてはユーザが入力可能な相手先住所入力手段あるいはユーザが予め登録されている住所録から相手先住所を選択することが可能な相手先選択手段から構成される相手先住所取得手段、前述の手紙あるいははがきに前述の取得した相手先住所を編集印刷する編集印刷手段を有していることを特徴としている。
【００１６】
請求項２１は請求項１８または請求項２０の前述の編集手段は広告情報を前述の似顔絵画像と同時に編集することを特徴としている。請求項２２は請求項２１の前述のサイトにおいてはユーザに対する質問内容表示手段、質問回答取得手段から構成されるアンケート手段から構成される相手先の属性を取得する相手先属性取得手段を有していることを特徴としている。
【００１７】
請求項２３は、請求項２０乃至２２項記載のシステムにおいて前述の広告が前記相手先属性あるいは相手先住所あるいはその両者により最適広告が選択されることを特徴としている。請求項２４は請求項１８の送信手段は、前述のサイトにアクセスするアクセス手段、前述のサイトにおいてサイトアクセスユーザが画像登録可能かどうかを判断する登録可不可判断手段、ユーザ画像入力手段から構成されていることを特徴としている。
【００１８】
請求項２５は請求項１８の送信手段は、顔画像付きメールを送信することを特徴としている。請求項２６は請求項１８の前述の無線携帯端末はＧＰＳシステムあるいは１以上の無線基地局と無線携帯端末の通信状態を解析する方法あるいはその両者を組み合わせた方法などの位置取得手段を有することを特徴としている。
【００１９】
請求項２７は請求項２６の発明において、前述の顔写真画像の撮像位置により背景画像、オブジェクト画像から選ばれた少なくとも１つの画像が似顔絵画像に付加編集されることを特徴としている。請求項２７は請求項２６のオブジェクト画像は服飾品、装飾品であることことを特徴としている。
【００２０】
請求項２９に記載の発明は、前述の編集手段で編集する広告が前述の付加された背景画像あるいはオブジェクト画像に関連付けられたデータベースに格納された商品あるいはサービスの広告情報であることを特徴としている。請求３０は請求項１８に記載のサイトにおいてポイント管理手段を有し、ユーザが画像を編集印刷した際に前記ポイント管理手段はポイントを加算することを特徴としている。請求項３１では請求項１８の変換手段は、前述の写真画像が人の顔であるがどうかを判定する判定手段を有し、人の顔でないと判定された場合、予め用意したメッセージ画像に変換することを特徴としている。ここでメッセージ画像は、植物、動物、無機物、人工物から選ばれる少なくとも１つの人とは関係ない物を表す画像であるとユーザに似顔絵変換不能を視覚的に伝えられてよい。
【００２１】
次に似顔絵画像をグループ管理する場合について説明する。請求項３３無線通信回線を通じて人の顔の写真画像を自動変換し似顔絵化し前述の似顔絵化した画像を配信管理するシステムにおいて無線携帯端末から接続可能なサイトに画像データベースを有し、画像撮像手段を有する無線携帯端末により取得した顔画像を前述のサイトに送信する顔画像情報送信手段、前述の送信された顔画像情報を登録する顔画像情報登録手段、前述の顔画像を似顔絵画像に変換する似顔絵変換手段、前述の変換された似顔絵画像を登録する似顔絵画像登録手段、前述の登録された似顔絵画像を閲覧するためにユーザがアクセスした際に前記無線携帯端末の端末ＩＤによりユーザ特定、認証を行い該似顔絵画像を閲覧許可する似顔絵画像認証閲覧手段を有していることを特徴としている。そしてここでの顔写真から似顔絵への変換は顔の輪郭、各部の特徴抽出を行い、予め用意しておいた顔の輪郭、顔の目・鼻・口・眉等の部品を組み合わせて似顔絵を合成すればよい。
【００２２】
請求項３４は、前述の似顔絵画像の閲覧許可が２以上のユーザ端末から可能であり、前述の閲覧許可は前記サイトに設けられた許可端末登録を行う許可端末登録管理手段を有し、前述の許可端末管理手段に端末ＩＤを登録し、ユーザ端末のサイトアクセス時にユーザ端末の端末ＩＤにより前記許可端末登録管理手段を参照して判断することを特徴としている。
【００２３】
請求項３５は、前述の閲覧許可が階層構造を有し、前述の階層別に許可端末登録管理手段を有していることを特徴としている。請求項３６は、前述の許可端末管理手段はグループ別に構成されており、前述の許可端末管理手段はユーザが新しいグループの構築を要望する際に新グループ要望手段を有し前述の新グループ要望手段は新たなグループを生成することを特徴としている。
【００２４】
請求項３７は請求項３６記載の似顔絵画像が前述の許可端末が管理されるグループにより背景画像、オブジェクト画像から選ばれた少なくとも１つの画像が前述の似顔絵画像に付加されることを特徴としている。請求項３８は請求項３７記載のオブジェクト画像は服飾品、装飾品であることことを特徴としている。
【００２５】
請求項３９は、請求項３８記載のシステムにおいて、前述の付加された背景画像あるいはオブジェクト画像に関連付けられた商品あるいはサービスの広告情報が似顔絵画像に付加されていることを特徴としている。請求項４０は、前述の広告情報には該広告に関連するＥＣサイトの所定部分のリンクが添付されることを特徴としている。
【００２６】
請求項４１は請求項３３の画像撮像手段が無線携帯端末内蔵カメラあるいはアダプター接続可能カメラであることを特徴としている。請求項４２は、請求項３３記載の送信手段が、前述のサイトにアクセスするアクセス手段、前述のサイトアクセスユーザが画像登録可能かどうかを判断する登録可不可判断手段、ユーザ画像入力手段から構成されていることを特徴としている。請求項４３は請求項３３記載の送信手段は画像付きメールであることを特徴としている。
【００２７】
請求項４４では請求項３３の変換手段は、前述の写真画像が人の顔であるがどうかを判定する判定手段を有し、人の顔でないと判定された場合、予め用意したメッセージ画像に変換することを特徴としている。ここでメッセージ画像は、植物、動物、無機物、人工物から選ばれる少なくとも１つの人とは関係ない物を表す画像であるとユーザに似顔絵変換不能を視覚的に伝えられてよい。
【００２８】
請求項４６では請求項３３の似顔絵画像は形状データ及び動作データから構成さ、似顔絵画像を閲覧するユーザに対して動く似顔絵を表示することを特徴としている。さらには、音楽データもしくは音声データにしたがって、前述の似顔絵の動作を同期化させるとより視覚的効果のある似顔絵となってよい。
【００２９】
次に広告情報付きメールについて説明する。請求項４８は無線通信回線を通じて人の顔の写真画像を自動変換し似顔絵化し前述の似顔絵化した画像を配信管理するシステムにおいて無線携帯端末から接続可能なサイトに画像データベースを有し、画像撮像手段を有する無線携帯端末により取得した顔画像を前述のサイトに送信する顔画像情報送信手段、前述の送信された顔画像情報を登録する顔画像情報登録手段、前述の顔画像を似顔絵画像に変換する似顔絵変換手段、前述の変換された似顔絵画像を登録する似顔絵画像登録手段、前述の登録された似顔絵画像変換された似顔絵画像をユーザがメールに添付して送付する際に広告情報を付加する広告情報付加手段を有していることを特徴としている。そしてここでの顔写真から似顔絵への変換は顔の輪郭、各部の特徴抽出を行い、予め用意しておいた顔の輪郭、顔の目・鼻・口・眉等の部品を組み合わせて似顔絵を合成すればよい。
【００３０】
請求項４９は請求項４８記載の人の顔画像撮像手段が、前述の無線携帯端末の内蔵カメラあるいはアダプター接続可能カメラであることを特徴としている。請求項５０は請求項４８記載の似顔絵は背景画像あるいはオブジェクト画像から選ばれた少なくとも１つの画像が前述の似顔絵画像に付加されることを特徴としている。
【００３１】
請求項５１は請求項５０記載のオブジェクト画像は服飾品、装飾品であることことを特徴としている。請求項５２は前述の広告が前述の付加された背景画像あるいはオブジェクト画像に関連付けられた商品あるいはサービスの広告情報であることを特徴としている。
【００３２】
請求項５３は、前述のメールには広告に関連するＥＣサイトの所定部分のリンクを添付されることを特徴としている。請求項５４は請求項４８記載のサイトにおいてはユーザが入力可能な相手先メールアドレス入力手段あるいはユーザが予め登録されているメールアドレスＤＢから相手先アドレスを選択することが可能な相手先選択手段から構成される相手先メール取得手段を有していることを特徴としている。
【００３３】
請求項５５は、前述のサイトにおいては送信先ユーザに対する質問内容表示手段、質問回答取得手段から構成されるアンケート手段から構成される相手先の属性を取得する相手先属性取得手段を有していることを特徴としている。請求項５６は請求項５４または５５記載の発明において、前述の広告は前記相手先属性により最適広告が選択されることを特徴としている。
【００３４】
請求項５７は、請求項４８記載の送信手段が前述のサイトにアクセスするアクセス手段、前述のサイトにおいてサイトアクセスユーザが画像登録可能かどうかを判断する登録可不可判断手段、ユーザ画像入力手段から構成されていることを特徴としている。請求項５８は請求項３８記載の送信手段は顔画像付きメールを送信することを特徴としている。
【００３５】
請求項５９では請求項４８の変換手段は、前述の写真画像が人の顔であるがどうかを判定する判定手段を有し、人の顔でないと判定された場合、予め用意したメッセージ画像に変換することを特徴としている。ここでメッセージ画像は、植物、動物、無機物、人工物から選ばれる少なくとも１つの人とは関係ない物を表す画像であるとユーザに似顔絵変換不能を視覚的に伝えられてよい。
【００３６】
請求項６１では請求項４８の似顔絵画像は形状データ及び動作データから構成され、似顔絵画像を閲覧するユーザに対して動く似顔絵を表示することを特徴としている。さらには、音楽データもしくは音声データにしたがって、前述の似顔絵の動作を同期化させるとより視覚的効果のある似顔絵となってよい。
【００３７】
【発明の実施の形態】
【実施例１】
以下、実際の例を基にさらに詳しく説明していく。図１は第１の実施例のシステム概要図である。似顔絵情報管理サイト１０１、無線公衆回線の基地局１０２、カメラ付き無線携帯ブラウザ端末１０３、１０４という構成である。似顔絵情報管理サイト１０１は、通信手段１０５、アンケート手段１０６、登録手段１０７、写真似顔絵変換手段１０８、検索手段等１０９、位置顔写真画像情報データベース１１０、位置似顔絵データベース１１１、メッセージ画像データベース１１２を有している。
【００３８】
図２はカメラ付き無線携帯ブラウザ端末１０３、１０４の内部ブロック図である。ＣＣＤカメラからなる画像撮像手段２０１、撮像した画像を処理する画像処理手段２０２、カメラ付き無線携帯ブラウザ端末の現在位置を取得する位置取得手段２０３、ネットワーク上のサイトにアクセスするサイトアクセス手段２０４、ユーザインターフェース手段２０５を有している。
【００３９】
図３はカメラ付き無線携帯ブラウザ端末により撮像した画像を似顔絵情報管理サイトに送信し、さらに似顔絵変換して登録するときのフローを示している。まずステップ３０１において、ユーザがカメラ付き無線携帯ブラウザ端末により画像を撮像する。次にステップ３０２において、カメラ付き無線携帯ブラウザ端末の位置を位置取得手段により取得する。この時の位置取得はＧＰＳを使ったシステムあるいは無線携帯ブラウザ端末の基地局比較による取得等の方法があるが、目的に応じて最適の方法を選択すればよい。ステップ３０３において、似顔絵情報管理サイトにアクセスし、会員サイトの場合ステップ３０４で、ユーザ認証を行う。ユーザ認証が適正の時はステップ３０５において、サイトに顔画像入力を行う。図４は似顔絵情報管理サイトにアクセスし顔画像を入力する際の画面を示した。ここではプルダウンメニューでカメラ付き無線携帯ブラウザ端末内に保存されている顔画像を選択入力すればよい。図５は選択された顔画像の確認画面の一例である。
【００４０】
ステップ３０６において、アンケート手段１０７により属性入力処理を行い、ステップ３０７において、登録手段１０８により属性情報と顔写真画像のデータベース登録が行われる。図６はユーザの属性を取得するアンケート画面の一例である。ここでは性別を選択入力させる画面である。
【００４１】
ステップ３０８において、登録された顔写真画像の判別を行い、似顔絵変換可能な顔と判別された場合、ステップ３０９において顔画像を似顔絵に変換すればよい。この変換は各顔の輪郭と各部の特徴点抽出を行い予め用意されている似顔絵用の顔輪郭および各部の最適な画像を選択することによって行えばよい。
【００４２】
次にステップ３１０において変換されて生成された似顔絵画像が位置似顔絵データベース１１１に登録される。また、ステップ３０８において顔として判別されなかった場合、ステップ３１１においてメッセージ画像呼び出しを行い、ステップ３１０で登録される似顔絵画像の代わりとする。図７は、メッセージ画像の一例であり、ここでは野菜であるトマトの画像が採用されており、トマトを表示することで、ユーザに顔変換に失敗したことを伝える。
【００４３】
図８は位置似顔絵データベース１１１の構成例である。ＩＤ、位置、名前、性別、カメラ付き無線携帯ブラウザ端末ＩＤ、ポイント、似顔絵データから構成されている。
【００４４】
ＩＤとは、位置似顔絵データをユニークに識別する識別子である。位置とは、前述の顔画像を撮像した時に取得した位置情報である。名前、性別は、ユーザ属性入力処理ステップ３０６においてユーザが入力した顔画像の本人を示す属性である。カメラ付無線携帯ブラウザ端末ＩＤとは、この端末をユニークに識別するために通信キャリアが付与した識別子である。ポイントは、ユーザが位置付き画像を登録する毎にポイントを加算し蓄積されていくものであり、蓄積されたポイントに応じたプレゼントやクーポン発行などのユーザサービスのために使う。似顔絵データは、似顔絵閲覧のためにアクセスしたユーザに対して表示するためのデータである。
【００４５】
本発明のシステムは、作成した似顔絵画像に背景あるいはオブジェクト画像を付加できるように構成することも可能である。このとき付加可能な画像は、登録の位置により異なるものとして、その位置が属する場所の特性に応じた背景やオブジェクト画像を用意する。これは位置別付加画像データベース９０１を設けて予め登録するものとする。その時のフローを図９に示した。まずユーザのカメラ付き無線携帯ブラウザ端末により顔画像を取得し、同時に無線携帯ブラウザ端末の位置取得手段により位置を取得する。次に似顔絵画像情報管理サイトにアクセスしユーザ認証を行い問題なければ位置情報により位置別付加画像データベース９０１から付加画像を呼び出す。そして必要な付加画像を選択し選択した付加画像を追加して画像合成を行う。
【００４６】
図１０は背景あるいはオブジェクト画像を付加する際に、ユーザに対して表示される選択画面であって、プルダウンメニューから付加画像無し、背景画像追加、オブジェクト画像追加から選択する画面である。図１１は背景画像追加画像合成を模式的に示したものである。図１１は（ａ）はユーザが撮像した顔から似顔絵に変換された似顔絵画像、（ｂ）は背景（森）であり背景画像の中からユーザが選択したものであって（ｃ）は（ａ）（ｂ）の画像を合成したものである。
【００４７】
図１２は似顔絵情報管理サイトを閲覧する時のフローを示したものである。まず無線携帯ブラウザ端末の位置取得手段により位置を取得する。次に似顔絵情報管理サイトにアクセスし必要に応じてユーザ認証を行う。問題なければユーザ端末の位置を参照して該当似顔絵画像を検索し蓄積似顔絵画像を閲覧すればよい。
【００４８】
図１３は似顔絵にオブジェクトとして服飾を選択した場合の表示似顔絵画像の例である。この時に服飾に関係する広告を似顔絵画像に掲載している例である。これは前回の背景画像と同様に選択した時に選択した服飾に関連するデータベースから広告情報を抽出し表示している。「似顔絵の着ているカジュアル○△です。今バーゲン中で３０００円」この服飾を欲しいヒトは下部のＥＣサイトの部分を選択すると図１４のＥＣサイトの画面に遷移する。ここで必要事項を選択あるいは、入力するし申し込みをクリックすると申し込みが可能となる。さらにこの場合にポイントを加算してもよい。
【００４９】
アクセスユーザに対して表示する似顔絵は、通常の静止がではなく音声や音楽に応じて動く動画とするとシステム構成としてもよい。似顔絵変換で生成する似顔絵を形状データと動作データによって構成される似顔絵データとすれば、動く似顔絵とすることも容易である。図１５は、形状データと動作データを示したものである。１５０１はポリゴンデータからなる形状データであり、１５０１、１５０２は動作データである。これらのデータは、ＶＲＭＬ（ＶｉｒｔｕａｌＲｅａｌｉｔｙＭｏｄｅｌｉｎｇＬａｎｇｕａｇｅ）の技術を適用することにより、既知の３Ｄグラフィック表示デバイスを用いて図１６に示すような似顔絵の動きを表現することができる。
【００５０】
また、音楽データと上記動作データとの同期をとることにより、音楽に合わせて踊る似顔絵キャラクターを演出することができる。あるいは、口の部分の動作データと音声を同期させることによって台詞をに合わせて口を動かす顔の表情を表現することも容易である。
【００５１】
【実施例２】
図１７は第２の実施例のシステム概要図である。印刷編集管理サイト１７０１、無線公衆基地局１７０２、カメラ付き無線携帯ブラウザ端末１７０３、１７０４という構成である。
【００５２】
印刷編集管理サイト１７０１は、通信手段１７０５、似顔絵変換手段、編集手段、印刷手段、位置顔画像データベース１７０９、位置似顔絵画像データベース１７１０、住所情報データベース１７１１、広告情報データベース１７１２から構成されている。
【００５３】
図１８はカメラ付き無線携帯ブラウザ端末のブロック図であり、ＣＣＤカメラからなる画像撮像手段１８０１、撮像した画像を処理する画像処理手段１８０２、カメラ付き無線携帯ブラウザ端末の現在位置を取得する位置取得手段１８０３、ネットワーク上のサイトにアクセスするサイトアクセス手段１８０４、住所情報蓄積手段１８０５、ユーザインターフェース手段１８０６を有している。
【００５４】
図１９はカメラ付き無線携帯ブラウザ端末により撮像した顔画像を印刷編集管理サイトに登録し、さらに似顔絵画像に変換印刷編集するときのフローを示している。まずステップ１９０１において、ユーザがカメラ付き無線携帯ブラウザ端末により顔画像を撮像する。次にステップ１９０２において、印刷編集管理サイト１７０１にアクセスする。ステップ１９０３において、ユーザ認証を行う。ユーザ認証が適正の時はステップ１９０４において、印刷編集管理サイトに顔画像入力を行う。顔画像入力はメールに顔画像を添付し印刷編集管理サイトに送信することでもよい。さらにステップ１９０５において、相手の属性を入力する処理を行う。ここでは相手の属性として相手先住所入力処理を行う。この時相手先住所は住所情報データベース１７１１あるいは無線携帯ブラウザ端末に装備された住所情報蓄積手段１８０５から選択すればよい。あるいは直接相手先住所情報を入力してもよい。さらに必要に応じて相手先の属性入力処理を行う。
【００５５】
ステップ１９０６において、顔画像の似顔絵変換をおこなう。この変換は各顔の輪郭と各部の特徴点抽出を行い予め用意されている似顔絵用の顔輪郭および各部の最適な画像を選択することによって行えばよい。さらにステップ１９０７において、変換された似顔絵データを撮像した時に取得された位置とリンクされて位置似顔絵画像データベース１７１０に登録される。
【００５６】
そしてステップ１９０８において、相手先住所あるいは相手先の属性あるいはその両者に応じて最適の広告を選択すればよい。ステップ１９０９において、はがき印刷項目（似顔絵画像、広告、相手先住所等）を編集する。そしてステップ１９１０において、変換された似顔絵画像をはがきに印刷する。
【００５７】
ステップ１９０８における相手先住所、属性による適正広告の選択について詳しく説明する。図２０は、地域属性別広告データベースの一例である。図２１は年齢・性別広告データベースである。これらデータベースを参照して、適正広告選択処理を行えばよい。
【００５８】
似顔絵画像に背景あるいはオブジェクト画像を付加するシステム構成とすることも可能である。その時のフローを図２２に示した。この場合、ユーザの端末が取得した端末位置に応じて付加する画像を変えることとし、位置別付加画像データベース２２１２を予め用意して上記背景あるいはオブジェクト画像を登録しておく。
【００５９】
まずステップ２２０１において、ユーザのカメラ付き無線携帯ブラウザ端末により顔画像撮像を行い、同時にステップ２２０２において、無線携帯ブラウザ端末の位置取得手段により位置を取得する。次にステップ２２０３において、印刷編集管理サイトにアクセスする。ステップ２２０４において、ユーザ認証を行い、問題なければステップ２２０５に進み、顔画像を入力する。ステップ２２０６において、似顔絵画像への変換処理を行う。さらにステップ２２０７において、変換した似顔絵情報の登録を行う。ステップ２２０８において、ユーザ端末で取得した位置情報を参照して付加画像を呼び出す。そしてステップ２２０９において、必要な付加画像を位置別付加画像データベース２２１２から選択する。選択した付加画像はステップ２２１０において、似顔絵追加して画像合成を行う。そしてステップ２２１１において、図１９で説明したフローと同様に印刷編集が行われる。
【００６０】
図２３はステップ２２０９において、付加画像を選択する際の選択画面であって、プルダウンメニューから付加画像無し、背景画像追加、オブジェクト画像追加から選択すればよい。図２４は背景画像追加画像合成を模式的に示したものである。（ａ）はユーザが撮像した顔画像を似顔絵に変換した画像、（ｂ）は背景（森）であり背景画像の中からユーザが選択したものであって（ｃ）は（ａ）（ｂ）の画像を合成したものである。図２５は前述の実施例と同様に広告情報を追加しはがきに印刷した例である。これは前回の背景画像関連するデータベースから広告情報を抽出し表示している。「○△山へ行きませんか」という広告情報ではがきに印刷してある様子を示している。
【００６１】
【実施例３】
図２６は第３の実施例のシステム概要図である。似顔絵情報管理サイト２６０１、無線公衆回線の基地局２６０２、カメラ付き無線携帯ブラウザ端末２６０３、２６０４という構成である。
【００６２】
似顔絵情報管理サイト２６０１は、通信手段２６０５、登録手段２６０６、写真似顔絵変換手段２６０７、検索手段２６０８、顔写真画像情報データベース２６０９、位置似顔絵データベース２６１０、グループ情報データベース２６１１を有している。図２７はカメラ付き無線携帯ブラウザ端末２６０３、２６０４の内部ブロック図であり、ＣＣＤカメラからなる画像撮像手段２７０１、撮像した画像を処理する画像処理手段２７０２、カメラ付き無線携帯ブラウザ端末の現在位置を取得する位置取得手段２７０３、ネットワーク上のサイトにアクセスするサイトアクセス手段２７０４、ユーザインターフェース手段２７０５を有している。
【００６３】
図２８はカメラ付き無線携帯ブラウザ端末により撮像した顔画像情報を似顔絵情報管理サイトに送信しさらに似顔絵変換してユーザが該当グループの部分に登録するときのフローを示している。まずステップ２８０１において、ユーザがカメラ付き無線携帯ブラウザ端末により画像を撮像する。次にステップ２８０２において、カメラ付き無線携帯ブラウザ端末によりユーザのグループを入力する。ステップ２８０３において、似顔絵情報管理サイトにアクセスし、必要に応じてステップ２８０４において、ユーザ認証を行う。このとき同時に該当グループにアクセス可能かも判別する。この判別は図２９のグループ情報データベースを参照して行えばよい。ユーザ認証が適正の時は、ステップ２８０５においてサイトに顔画像入力を行う。必要であればステップ２８０６において、属性入力処理を行う。ステップ２８０７において、属性情報と顔画像をデータベースに登録する。さらにステップ２８０８において、この顔画像を似顔絵に変換し、ステップ２８０９において、似顔絵画像データベースに登録すればよい。この変換は各顔の輪郭と各部の特徴点抽出を行い予め用意されている似顔絵用の顔輪郭および各部の最適な画像を選択することによって行えばよい。また、ステップ２８０５の顔写真画像入力はメールに顔画像を添付し似顔絵情報管理サイトに送信してもよい。
【００６４】
図２９のグループ情報データベースの内容を説明する。ここではグループ名、許可ユーザ（ユーザの端末ＩＤ）、このグループのみで使用可能な付加背景画像、付加オブジェクト画像のそれぞれの情報が格納されている。
【００６５】
次にユーザの要望で新しくグループを作る場合について説明するが、その様子を図３０に示した。まずユーザが新グループの設定要求を出すとそのユーザがグループ作成可能かどうかの判定を行い、問題ない場合にはグループ情報ＤＢに新しい領域が生成される。図２９のグループ名の部分に新たなグループが形成される。そして必要に応じて許可ユーザ（端末ＩＤ）の領域に該当ユーザを登録すればよい。
【００６６】
次にユーザが新しいグループに加入する場合について説明するが、その様子は図３１に示した。まずユーザのグループ加入要求に対してユーザ認証、さらにユーザの加入条件が満足しているかどうかを判定し該当グループ情報を検索し、該当グループの許可ユーザ（端末ＩＤ）の領域に該当ユーザを登録すればよい。
【００６７】
図３２はステップ２８０５において、サイトにアクセスし画像を入力する際の画面を示した。ここではプルダウンメニューでカメラ付き無線携帯ブラウザ端末内の画像を選択入力すればよい。入力した顔画像をユーザに確認する画面を図３３に示した。ここで問題なければ送信をクリックすればよい。
【００６８】
次に図３４はステップ２８０６におけるユーザの属性を取得するためのアンケート手段の例である。ここでは性別を選択入力させる画面である。
【００６９】
図３５はグループ別画像情報データベースの構成例であって、ＩＤ、グループ、名前、カメラ付き無線携帯ブラウザ端末ＩＤ、関連事項、属性、蓄積ポイント、画像データから構成されている。ここでグループとは、この画像を閲覧可能なグループを識別する識別子であり、ユーザが閲覧しようとする時などに参照される。
【００７０】
次に似顔絵画像に背景あるいはオブジェクト画像を付加する場合について説明する。このとき付加可能とされる画像はグループ毎に異なるがこれはグループ情報データベース内の付加画像領域（図２９）に登録されている。その時のフローを図３６に示した。
【００７１】
まずステップ３６０１において、ユーザのカメラ付き無線携帯ブラウザ端末により顔画像撮像を行い、同時にステップ３６０２において、無線携帯ブラウザ端末によりグループを選択入力する。次にステップ３６０３において、似顔絵画像情報管理サイトにアクセスし、ステップ３６０４において、ユーザ認証を行う。認証に問題なければステップ３６０５において、位置情報に関連づけられた顔画像の入力が行われる。ステップ３６０６において、入力顔画像の似顔絵へ変換が行われる。ステップ３６０７において、変換された似顔絵画像は適切なグループに登録される。ステップ３６０８において、グループ情報を参照して付加画像を呼び出す。そしてステップ３６０９において、必要な付加画像を選択し、ステップ３６１０において、選択した付加画像を追加して画像合成を行う。
【００７２】
図３７はステップ３６０９における付加画像を追加する際の選択画面であって、プルダウンメニューから付加画像無し、背景画像追加、オブジェクト画像追加から選択すればよい。図３８はステップ３６１０における背景画像追加画像合成を模式的に示したものである（ａ）はユーザが撮像した顔から似顔絵に変換された似顔絵画像、（ｂ）は背景（森）であり背景画像の中からユーザが選択したものであって（ｃ）は（ａ）（ｂ）の画像を合成したものである。
【００７３】
図３９は似顔絵画像管理サイトを閲覧する時のフローを示したものであり、まず無線携帯ブラウザ端末によりグループを選択入力する。次に似顔絵画像管理サイトにアクセスし必要に応じてユーザ認証を行う。問題なければユーザ端末のグループにより該当似顔絵画像を検索し蓄積似顔絵画像を閲覧すればよい。
【００７４】
図４０は似顔絵にオブジェクトとして服飾を選択した場合の表示似顔絵画像の例である。この時に服飾に関係する広告を似顔絵画像に同時に表示している例である。これは前回の背景画像と同様に選択した時に選択した服飾に関連するデータベースから広告情報を抽出しその情報により画面表示している。「似顔絵の着ているカジュアル○△です。今バーゲン中で３０００円」この服飾を欲しいヒトは下部のＥＣサイトの部分を選択すると図４１のＥＣサイトの画面に遷移する。ここで必要事項を選択あるいは、入力するし申し込みをクリックすると申し込みが可能となる。さらにこの場合にポイントを加算してもよい。
【００７５】
図４２は第４の実施例のシステム概要図である。似顔絵情報管理サイト４２０１、無線公衆基地局４２０２、カメラ付き無線携帯ブラウザ端末４２０３、４２０４という構である。
【００７６】
似顔絵情報管理サイト４２０１は、通信手段４２０５、写真似顔絵変換手段４２０６、メール編集手段４２０７、メール送信手段４２０８、登録手段４２０９、顔写真画像情報データベース４２１０、似顔絵情報データベース４２１１、メール送信先データベース４２１２、広告情報データベース４２１３から構成されている。
【００７７】
図４３はカメラ付き無線携帯ブラウザ端末のブロック図であり、ＣＣＤカメラからなる画像撮像手段４３０１、撮像した画像を処理する画像処理手段４３０２、カメラ付き無線携帯ブラウザ端末の現在位置を取得する位置取得手段４３０３、ネットワーク上のサイトにアクセスするサイトアクセス手段４３０４、メールアドレス情報蓄積手段４３０５、ユーザインターフェース手段４３０６を有している。
【００７８】
図４４は、カメラ付き無線携帯ブラウザ端末により撮像した顔画像を似顔絵画像情報管理サイトに登録し、さらに似顔絵画像に変換し似顔絵付きメールを編集してメール送信するときのフローを示している。まずステップ４４０１において、ユーザがカメラ付き無線携帯ブラウザ端末により顔画像を撮像する。次にステップ４４０２において、似顔絵管理サイトにアクセスする。このとき必要に応じてステップ４４０３のユーザ認証を行う。ユーザ認証が適正の時は、ステップ４４０４において、サイトに顔画像入力を行う。さらにステップ４４０５において、相手先メールアドレス入力処理を行う。この時相手先入力処理はサイトあるいは無線携帯ブラウザ端末に装備されたメール情報蓄積手段から選択すればよい。あるいは直接相手先メールアドレス情報を入力してもよい。そして必要に応じて相手先の属性入力処理を行う。ステップ４４０６において、入力された顔画像の似顔絵変換が行われる。ステップ４４０７において、変換された似顔絵情報の登録処理が行われる。そしてステップ４４０８において、メール送信の相手先の属性に応じて最適の広告を選択すればよい。そしてステップ４４０９において、変換した似顔絵画像をメールに添付編集し、ステップ４４１０において、送信する。似顔絵情報送信はメールに似顔絵情報リンクを添付し送信する方法でもよい。
【００７９】
相手先属性により最適な広告を選択するが地域属性別別広告データベースの例を図４５に、年齢・性別広告データベースの例を図４６に示した。ステップ４４０８における最適広告選択処理は、これらデータベースを参照してを行えばよい。
【００８０】
次に似顔絵画像に背景あるいはオブジェクト画像を付加する場合について説明する。その時のフローを図４７に示した。まずステップ４７０１において、ユーザのカメラ付き無線携帯ブラウザ端末により顔画像撮像を行う。次にステップ４７０２において、サイトにアクセスする。このときステップ４７０３において、ユーザ認証を行い、問題なければステップ４７０４に移って顔写真画像を入力する。ステップ４７０５において、入力された顔写真画像を似顔絵画像に変換する。ステップ４７０６において、似顔絵画像はいったん登録される。ステップ４７０７において、付加画像データベースから付加画像を呼び出す。そしてステップ４７０８において、必要な付加画像を選択する。ステップ４７０９において、選択した付加画像を似顔絵追加して画像合成を行う。
【００８１】
図４８は付加画像を追加する際の選択画面であって、プルダウンメニューから付加画像無し、背景画像追加、オブジェクト画像追加から選択すればよい。図４９は背景画像追加画像合成を模式的に示したものである。（ａ）はユーザが撮像した顔画像を似顔絵に変換した画像、（ｂ）は背景（森）であり背景画像の中からユーザが選択したものであって（ｃ）は（ａ）（ｂ）の画像を合成したものである。
【００８２】
図５０は前述の実施例と同様に広告情報を追加しメールに添付した例である。これは前回の背景画像関連するデータベースから広告情報を抽出し表示している。「○△山へ行きませんか」という広告情報であり下部のＥＣサイトへをクリックすると図５１の画面に遷移し必要事項を入力し申し込み可能となる。
【００８３】
【発明の効果】
以上述べたよう本発明によればカメラ付き無線携帯ブラウザ端末で撮像した位置情報付き顔画像を似顔絵変換し、この画像を容易に位置画像管理サイトに登録することが可能となり、さらに該当位置に行ったときに登録した似顔絵画像を閲覧することが可能となる。また変換した画像を音声や音楽に応じて動作する視覚的効果のある似顔絵を提供することも可能になる。
【００８４】
またカメラ付き無線携帯ブラウザ端末で撮像した位置情報付き画像を似顔絵に変換し、容易に絵はがきなどにして郵便などで送付することが容易に可能となる。あるいはカメラ付き無線携帯ブラウザ端末で撮像した位置情報付き画像を似顔絵に変換しこの画像を容易に特定のグループ別に閲覧可能であるのでグループ内で似顔絵のアップロード、閲覧が可能となる。
【００８５】
あるいはこの似顔絵を容易にメールに添付することができる。さらにこういった顔写真から形成した似顔絵に付加画像などを付加した場合に、この似顔絵画像に関連した広告が容易に可能となる。ネットの場合にはこの広告に関するサービスや商品のＥＣサイトに容易に飛ぶことも可能となり、購買意欲を刺激することが可能となる。
【００８６】
また、顔写真画像の似顔絵変換が不能の場合、単なるエラーメッセージではなく顔とは全く関係ない植物などの画像を返すことにより視認性のよいメッセージとする効果がある。
【図面の簡単な説明】
【図１】実施例１のシステム概要図
【図２】カメラ付き無線携帯ブラウザ端末のブロック図
【図３】位置顔画像情報、位置似顔絵画像の登録フロー
【図４】画像入力画面
【図５】画像入力確認画面
【図６】ユーザ性別属性入力画面
【図７】メッセージ画像の一例
【図８】データベース構成例
【図９】付加画像追加処理フロー
【図１０】付加画像選択画面
【図１１】背景画像付加模式図
【図１２】似顔絵画像閲覧フロー
【図１３】広告付き似顔絵画像例
【図１４】ＥＣサイト画面の一例
【図１５】形状データと動作データ
【図１６】似顔絵の動き
【図１７】実施例２のシステム概要図
【図１８】カメラ付き無線携帯ブラウザ端末のブロック図
【図１９】似顔絵画像情報印刷フロー
【図２０】地域別属性広告データベース例
【図２１】属性別広告データベース例
【図２２】付加画像追加処理フロー
【図２３】付加画像選択画面
【図２４】背景画像付加模式図
【図２５】広告付き似顔絵のはがきへの印刷例
【図２６】実施例３のシステム概要図
【図２７】カメラ付き無線携帯ブラウザ端末のブロック図
【図２８】グループ別似顔絵画像の登録フロー
【図２９】グループ別情報内容例
【図３０】新たなグループ設定フロー
【図３１】新たなグループ登録フロー
【図３２】入力画像選択画面
【図３３】画像入力確認画面
【図３４】ユーザ性別属性入力画面
【図３５】データベース構成例
【図３６】付加画像追加処理フロー
【図３７】付加画像選択画面
【図３８】背景画像付加模式図
【図３９】似顔絵画像閲覧フロー
【図４０】服飾を選択した場合の表示似顔絵画像の例
【図４１】ＥＣサイトの画面例
【図４２】実施例４のシステム概要図
【図４３】カメラ付き無線携帯ブラウザ端末のブロック図
【図４４】似顔絵画像付きメール編集生成フロー
【図４５】地域別属性広告データベース例
【図４６】属性別広告データベース例
【図４７】付加画像追加処理フロー
【図４８】付加画像選択画面
【図４９】背景画像付加模式図
【図５０】広告付き似顔絵画像メール例
【図５１】ＥＣサイト画面の一例
【図１】
2004005391.tif 000003
【図２】
2004005391.tif 000004
【図３】
2004005391.tif 000005
【図４】
2004005391.tif 000006
【図５】
2004005391.tif 000007
【図６】
2004005391.tif 000008
【図７】
2004005391.tif 000009
【図８】
2004005391.tif 000010
【図９】
2004005391.tif 000011
【図１０】
2004005391.tif 000012
【図１１】
2004005391.tif 000013
【図１２】
2004005391.tif 000014
【図１３】
2004005391.tif 000015
【図１４】
2004005391.tif 000016
【図１５】
2004005391.tif 000017
【図１６】
2004005391.tif 000018
【図１７】
2004005391.tif 000019
【図１８】
2004005391.tif 000020
【図１９】
2004005391.tif 000021
【図２０】
2004005391.tif 000022
【図２１】
2004005391.tif 000023
【図２２】
2004005391.tif 000024
【図２３】
2004005391.tif 000025
【図２４】
2004005391.tif 000026
【図２５】
2004005391.tif 000027
【図２６】
2004005391.tif 000028
【図２７】
2004005391.tif 000029
【図２８】
2004005391.tif 000030
【図２９】
2004005391.tif 000031
【図３０】
2004005391.tif 000032
【図３１】
2004005391.tif 000033
【図３２】
2004005391.tif 000034
【図３３】
2004005391.tif 000035
【図３４】
2004005391.tif 000036
【図３５】
2004005391.tif 000037
【図３６】
2004005391.tif 000038
【図３７】
2004005391.tif 000039
【図３８】
2004005391.tif 000040
【図３９】
2004005391.tif 000041
【図４０】
2004005391.tif 000042
【図４１】
2004005391.tif 000043
【図４２】
2004005391.tif 000044
【図４３】
2004005391.tif 000045
【図４４】
2004005391.tif 000046
【図４５】
2004005391.tif 000047
【図４６】
2004005391.tif 000048
【図４７】
2004005391.tif 000049
【図４８】
2004005391.tif 000050
【図４９】
2004005391.tif 000051
【図５０】
2004005391.tif 000052
【図５１】
2004005391.tif 000053